【手続補正書】
【提出日】平成21年9月11日(2009.9.11)
【手続補正１】
【補正対象書類名】明細書
【補正対象項目名】０００８
【補正方法】変更
【補正の内容】
【０００８】
請求項１に記載の発明は、表示パネルに光を照射するバックライトユニットが前記表示パネルとの間に介在するように配置され、圧電セラミック板により音波を発する音源素子と、前記音源素子から発せられる音波を所定の方向に導く導音路としての空間が前記表示パネルの側面または前記バックライトユニットの側面との間に形成される側壁部を有し、底板部と前記バックライトユニットとの間に前記音源素子が位置するように前記表示パネルと前記バックライトユニットと前記音源素子とを収納するケースと、を備え、前記音源素子は、前記圧電セラミック板の一方の主面に導通貼着された短冊形状の第１の薄膜電極と、前記圧電セラミック板の他方の主面に導通貼着された短冊形状の第２の薄膜電極と、を有し、前記第１の薄膜電極及び前記第２の薄膜電極は、前記導音路の方向とは逆の方向に向かって、前記圧電セラミック板から引き出されていることを特徴とするものである。
また、請求項２に記載の発明は、請求項１に記載の画像表示モジュールにおいて、前記音源素子は、リングの一部に開口部が形成された形状のＣ字型スペーサーを有し、前記Ｃ字型スペーサーは、前記圧電セラミック板と前記バックライトユニットとの間に配置され、前記第１の薄膜電極及び前記第２の薄膜電極は、前記Ｃ字型スペーサーの開口部における開口方向とは逆の方向に、前記圧電セラミック板から引き出されていることを特徴とするものである。
また、請求項３に記載の発明は、請求項２に記載の画像表示モジュールにおいて、前記Ｃ字型スペーサーは、一方の主面の少なくとも一部が前記バックライトユニットに密着するように配置されているとともに、他方の主面の少なくとも一部が前記圧電セラミック板に密着するように配置されていることを特徴とするものである。
また、請求項４に記載の発明は、請求項１から３の何れかに記載の画像表示モジュールにおいて、前記音源素子は、リング形状の円形スペーサーを有し、前記円形スペーサーは、前記圧電セラミック板と前記ケースにおける前記底板部との間に配置されていることを特徴とするものである。
また、請求項５に記載の発明は、圧電セラミック板により音波を発する音源素子と、底板部と表示パネルとの間に前記音源素子が位置するように、前記表示パネルと前記音源素子とを収納するケースと、を備え、前記ケースは、前記音源素子から発せられる音波を所定の方向に導く導音路としての空間が前記表示パネルの側面との間に形成される側壁部を有し、前記音源素子は、前記圧電セラミック板の一方の主面に導通貼着された短冊形状の第１の薄膜電極と、前記圧電セラミック板の他方の主面に導通貼着された短冊形状の第２の薄膜電極と、を有し、前記第１の薄膜電極及び前記第２の薄膜電極は、前記導音路の方向とは逆の方向に向かって、前記圧電セラミック板から引き出されていることを特徴とするものである。
また、請求項６に記載の発明は、請求項５に記載の画像表示モジュールにおいて、前記音源素子は、リングの一部に開口部が形成された形状のＣ字型スペーサーを有し、前記Ｃ字型スペーサーは、前記圧電セラミック板と前記バックライトユニットとの間に配置され、前記第１の薄膜電極及び前記第２の薄膜電極は、前記Ｃ字型スペーサーの開口部における開口方向とは逆の方向に、前記圧電セラミック板から引き出されていることを特徴とするものである。
【手続補正２】
【補正対象書類名】明細書
【補正対象項目名】０００９
【補正方法】変更
【補正の内容】
【０００９】
また、請求項７に記載の発明は、第１の圧電セラミック板により音波を発する第１の音源素子と、第２の圧電セラミック板により音波を発する第２の音源素子と、底板部と表示パネルとの間に前記第１の音源素子及び前記第２の音源素子が位置するように、前記表示パネルと前記第１の音源素子と前記第２の音源素子とを収納するケースと、を備え、前記ケースは、前記第１の音源素子から発せられる音波を所定の方向に導く第１の導音路としての空間が前記表示パネルにおける第１の側面との間に形成される第１の側壁部と、前記第２の音源素子から発せられる音波を所定の方向に導く第２の導音路としての空間が前記表示パネルにおける第２の側面との間に形成される第２の側壁部と、を有し、前記第１の音源素子は、前記第１の圧電セラミック板の一方の主面に導通貼着された短冊形状の第１の薄膜電極と、前記第１の圧電セラミック板の他方の主面に導通貼着された短冊形状の第２の薄膜電極と、を有し、前記第２の音源素子は、前記第２の圧電セラミック板の一方の主面に導通貼着された短冊形状の第３の薄膜電極と、前記第２の圧電セラミック板の他方の主面に導通貼着された短冊形状の第４の薄膜電極と、を有し、前記第１の薄膜電極及び前記第２の薄膜電極は、前記第１の導音路の方向とは逆の方向に向かって、前記第１の圧電セラミック板から引き出され、前記第３の薄膜電極及び前記第４の薄膜電極は、前記第２の導音路の方向とは逆の方向に向かって、前記第２の圧電セラミック板から引き出されていることを特徴とするものである。
また、請求項８に記載の発明は、請求項７に記載の画像表示モジュールにおいて、前記第１の音源素子は、リングの一部に第１の開口が形成された形状の第１のＣ字型スペーサーを有し、前記第２の音源素子は、リングの一部に第２の開口が形成された形状の第２のＣ字型スペーサーを有し、前記第１のＣ字型スペーサーは、前記第１の圧電セラミック板と前記表示パネルとの間に配置され、前記第２のＣ字型スペーサーは、前記第２の圧電セラミック板と前記表示パネルとの間に配置され、前記第１の薄膜電極及び前記第２の薄膜電極は、前記１のＣ字型スペーサーの開口部における開口方向とは逆の方向に、前記第１の圧電セラミック板から引き出され、前記第３の薄膜電極及び前記第４の薄膜電極は、前記２のＣ字型スペーサーの開口部における開口方向とは逆の方向に、前記第２の圧電セラミック板から引き出されていることを特徴とするものである。
また、請求項９に記載の発明は、請求項７または８に記載の画像表示モジュールにおいて、前記第１の音源素子は、前記第２の音源素子に対して前記第１の導音路側に配置され、前記第２の音源素子は、前記第１の音源素子に対して前記第２の導音路側に配置されていることを特徴とするものである。
また、請求項１０に記載の発明は、請求項７から９のいずれかに記載の画像表示モジュールにおいて、前記第１の音源素子と前記第２の音源素子は、左右対称になるように配置されていることを特徴とするものである。
【手続補正３】
【補正対象書類名】明細書
【補正対象項目名】００１０
【補正方法】変更
【補正の内容】
【００１０】
本発明によれば、機器全体の面積を小さくし、且つ薄くすることができる。
【手続補正４】
【補正対象書類名】明細書
【補正対象項目名】００１１
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
表示パネルに光を照射するバックライトユニットが前記表示パネルとの間に介在するように配置され、圧電セラミック板により音波を発する音源素子と、
前記音源素子から発せられる音波を所定の方向に導く導音路としての空間が前記表示パネルの側面または前記バックライトユニットの側面との間に形成される側壁部を有し、底板部と前記バックライトユニットとの間に前記音源素子が位置するように前記表示パネルと前記バックライトユニットと前記音源素子とを収納するケースと、
を備え、
前記音源素子は、前記圧電セラミック板の一方の主面に導通貼着された短冊形状の第１の薄膜電極と、前記圧電セラミック板の他方の主面に導通貼着された短冊形状の第２の薄膜電極と、を有し、
前記第１の薄膜電極及び前記第２の薄膜電極は、前記導音路の方向とは逆の方向に向かって、前記圧電セラミック板から引き出されていることを特徴とする画像表示モジュール。
【請求項２】
前記音源素子は、リングの一部に開口部が形成された形状のＣ字型スペーサーを有し、
前記Ｃ字型スペーサーは、前記圧電セラミック板と前記バックライトユニットとの間に配置され、
前記第１の薄膜電極及び前記第２の薄膜電極は、前記Ｃ字型スペーサーの開口部における開口方向とは逆の方向に、前記圧電セラミック板から引き出されていることを特徴とする請求項１に記載の画像表示モジュール。
【請求項３】
前記Ｃ字型スペーサーは、一方の主面の少なくとも一部が前記バックライトユニットに密着するように配置されているとともに、他方の主面の少なくとも一部が前記圧電セラミック板に密着するように配置されていることを特徴とする請求項２に記載の画像表示モジュール。
【請求項４】
前記音源素子は、リング形状の円形スペーサーを有し、
前記円形スペーサーは、前記圧電セラミック板と前記ケースにおける前記底板部との間に配置されていることを特徴とする請求項１から３の何れかに記載の画像表示モジュール。
【請求項５】
圧電セラミック板により音波を発する音源素子と、
底板部と表示パネルとの間に前記音源素子が位置するように、前記表示パネルと前記音源素子とを収納するケースと、
を備え、
前記ケースは、前記音源素子から発せられる音波を所定の方向に導く導音路としての空間が前記表示パネルの側面との間に形成される側壁部を有し、
前記音源素子は、前記圧電セラミック板の一方の主面に導通貼着された短冊形状の第１の薄膜電極と、前記圧電セラミック板の他方の主面に導通貼着された短冊形状の第２の薄膜電極と、を有し、
前記第１の薄膜電極及び前記第２の薄膜電極は、前記導音路の方向とは逆の方向に向かって、前記圧電セラミック板から引き出されていることを特徴とする画像表示モジュール。
【請求項６】
前記音源素子は、リングの一部に開口部が形成された形状のＣ字型スペーサーを有し、
前記Ｃ字型スペーサーは、前記圧電セラミック板と前記バックライトユニットとの間に配置され、
前記第１の薄膜電極及び前記第２の薄膜電極は、前記Ｃ字型スペーサーの開口部における開口方向とは逆の方向に、前記圧電セラミック板から引き出されていることを特徴とする請求項５に記載の画像表示モジュール。
【請求項７】
第１の圧電セラミック板により音波を発する第１の音源素子と、
第２の圧電セラミック板により音波を発する第２の音源素子と、
底板部と表示パネルとの間に前記第１の音源素子及び前記第２の音源素子が位置するように、前記表示パネルと前記第１の音源素子と前記第２の音源素子とを収納するケースと、
を備え、
前記ケースは、前記第１の音源素子から発せられる音波を所定の方向に導く第１の導音路としての空間が前記表示パネルにおける第１の側面との間に形成される第１の側壁部と、前記第２の音源素子から発せられる音波を所定の方向に導く第２の導音路としての空間が前記表示パネルにおける第２の側面との間に形成される第２の側壁部と、を有し、
前記第１の音源素子は、前記第１の圧電セラミック板の一方の主面に導通貼着された短冊形状の第１の薄膜電極と、前記第１の圧電セラミック板の他方の主面に導通貼着された短冊形状の第２の薄膜電極と、を有し、
前記第２の音源素子は、前記第２の圧電セラミック板の一方の主面に導通貼着された短冊形状の第３の薄膜電極と、前記第２の圧電セラミック板の他方の主面に導通貼着された短冊形状の第４の薄膜電極と、を有し、
前記第１の薄膜電極及び前記第２の薄膜電極は、前記第１の導音路の方向とは逆の方向に向かって、前記第１の圧電セラミック板から引き出され、
前記第３の薄膜電極及び前記第４の薄膜電極は、前記第２の導音路の方向とは逆の方向に向かって、前記第２の圧電セラミック板から引き出されていることを特徴とする画像表示モジュール。
【請求項８】
前記第１の音源素子は、リングの一部に第１の開口が形成された形状の第１のＣ字型スペーサーを有し、
前記第２の音源素子は、リングの一部に第２の開口が形成された形状の第２のＣ字型スペーサーを有し、
前記第１のＣ字型スペーサーは、前記第１の圧電セラミック板と前記表示パネルとの間に配置され、
前記第２のＣ字型スペーサーは、前記第２の圧電セラミック板と前記表示パネルとの間に配置され、
前記第１の薄膜電極及び前記第２の薄膜電極は、前記１のＣ字型スペーサーの開口部における開口方向とは逆の方向に、前記第１の圧電セラミック板から引き出され、
前記第３の薄膜電極及び前記第４の薄膜電極は、前記２のＣ字型スペーサーの開口部における開口方向とは逆の方向に、前記第２の圧電セラミック板から引き出されていることを特徴とする請求項７に記載の画像表示モジュール。
【請求項９】
前記第１の音源素子は、前記第２の音源素子に対して前記第１の導音路側に配置され、
前記第２の音源素子は、前記第１の音源素子に対して前記第２の導音路側に配置されていることを特徴とする請求項７または８に記載の画像表示モジュール。
【請求項１０】
前記第１の音源素子と前記第２の音源素子は、左右対称になるように配置されていることを特徴とする請求項７から９のいずれかに記載の画像表示モジュール。